【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
局部復号画像を用いた予測符号化を行う画像符号化装置であって、
入力した画像データを複数画素で構成されるブロックに分割した際のブロックごとの画像パターンを判定する判定手段と、
前記入力した画像データを符号化する際に生成する局部復号画像における前記ブロックの境界に対して平滑化処理を行うフィルタ手段と、
前記判定手段で判定されたブロックごとの画像パターンに基づいて分けられる領域ごとに前記フィルタ手段における平滑化処理の強度を制御する制御手段とを備えることを特徴とする画像符号化装置。
【請求項２】
前記ブロックのうち少なくとも１つ以上をひとまとまりにしてスライスを構成するスライス構成手段をさらに有し、該スライス構成手段は、前記画像パターンに応じて分類されるスライスを少なくとも１つ以上構成することを特徴とする請求項１に記載の画像符号化装置。
【請求項３】
前記制御手段は、前記スライス構成手段により構成されたスライス毎に前記フィルタ手段における平滑化処理の強度を変更するよう制御することを特徴とする請求項２に記載の画像符号化装置。
【請求項４】
前記制御手段は、前記判定手段で判定された画像パターンが平坦さと表わす結果のときと、複雑さをあらわす結果のときとで、前記フィルタ手段における平滑化処理の強度を変更するよう制御することを特徴とする請求項１に記載の画像符号化装置。
【請求項５】
前記判定手段は、前記ブロックに対して直交変換を行うことにより、前記画像パターンを判定することを特徴とする請求項１乃至４のいずれか１項に記載の画像符号化装置。
【請求項６】
前記フィルタ手段における平滑化処理の強度を設定するフィルタ設定手段をさらに有し、前記制御手段は前記フィルタ設定手段により、前記直交変換によって得られた変換係数のＡＣ成分の総和が、所定の閾値より小さいときは前記フィルタ手段におけるフィルタ処理の強度が強くなるよう設定し、前記所定の閾値より大きいときは前記フィルタ手段におけるフィルタ処理の強度が弱くなるよう設定することを特徴とする請求項５に記載の画像符号化装置。
【請求項７】
前記判定手段は、前記ブロックに対してアダマール変換を行うことにより、前記画像パターンを判定することを特徴とする請求項１乃至４のいずれか１項に記載の画像符号化装置。
【請求項８】
前記フィルタ手段における平滑化処理の強度を設定するフィルタ設定手段をさらに有し、前記制御手段は前記フィルタ設定手段により、前記アダマール変換によって得られた変換係数のＡＣ成分の総和が、所定の閾値より小さいときは前記フィルタ手段におけるフィルタ処理の強度が強くなるよう設定し、前記所定の閾値より大きいときは前記フィルタ手段におけるフィルタ処理の強度が弱くなるよう設定することを特徴とする請求項７に記載の画像符号化装置。
【請求項９】
局部復号画像を用いた予測符号化を行う画像符号化装置であって、
入力した画像データを複数画素で構成されるブロックに分割した際のブロックごとに、少なくとも画像の平坦さを基準にブロックの特徴判定を行う判定手段と、
前記判定手段により平坦と判定された少なくとも一つ以上のブロックを集めて、少なくとも一つのスライスを構成するスライス構成手段と、
前記入力した画像データを符号化する際に生成する局部復号画像における前記ブロックの境界に対して平滑化処理を行うフィルタ手段と、
前記スライス構成手段で構成されたスライスに対応するブロックについては、その他のブロックよりも強く平滑化処理を行うよう、前記フィルタ手段における平滑化処理の強度を制御する制御手段とを備えることを特徴とする画像符号化装置。
【請求項１０】
局部復号画像を用いた予測符号化を行う画像符号化方法であって、
入力した画像データを複数画素で構成されるブロックに分割した際のブロックごとの画像パターンを判定する判定ステップと、
前記入力した画像データを符号化する際に生成する局部復号画像における前記ブロックの境界に対して平滑化処理を行うフィルタ処理ステップと、
前記判定ステップにおいて判定されたブロックごとの画像パターンに基づいて分けられる領域ごとに前記フィルタ処理ステップにおける平滑化処理の強度を設定する設定ステップとを有することを特徴とする画像符号化方法。
【請求項１１】
局部復号画像を用いた予測符号化を行う画像符号化方法であって、
入力した画像データを複数画素で構成されるブロックに分割した際のブロックごとに、少なくとも画像の平坦さを基準にブロックの特徴判定を行う判定ステップと、
前記判定ステップにおいて平坦と判定された少なくとも一つ以上のブロックを集めて、少なくとも一つのスライスを構成するスライス構成ステップと、
前記入力した画像データを符号化する際に生成する局部復号画像における前記ブロックの境界に対して平滑化処理を行うフィルタ処理ステップと、
前記スライス構成ステップにおいて構成されたスライスに対応するブロックについては、その他のブロックよりも強く平滑化処理を行うよう、前記フィルタ処理ステップにおける平滑化処理の強度を設定する設定ステップとを有することを特徴とする画像符号化方法。
【手続補正２】
【補正対象書類名】明細書
【補正対象項目名】００２１
【補正方法】変更
【補正の内容】
【００２１】
上記課題を解決するために、本発明の画像符号化装置は、局部復号画像を用いた予測符号化を行う画像符号化装置であって、入力した画像データを複数画素で構成されるブロックに分割した際のブロックごとの画像パターンを判定する判定手段と、前記入力した画像データを符号化する際に生成する局部復号画像における前記ブロックの境界に対して平滑化処理を行うフィルタ手段と、前記判定手段で判定されたブロックごとの画像パターンに基づいて分けられる領域ごとに前記フィルタ手段における平滑化処理の強度を制御する制御手段とを備えることを特徴とする。
【手続補正３】
【補正対象書類名】明細書
【補正対象項目名】００２２
【補正方法】変更
【補正の内容】
【００２２】
また、本発明の他の画像符号化装置は、局部復号画像を用いた予測符号化を行う画像符号化装置であって、入力した画像データを複数画素で構成されるブロックに分割した際のブロックごとに、少なくとも画像の平坦さを基準にブロックの特徴判定を行う判定手段と、前記判定手段により平坦と判定された少なくとも一つ以上のブロックを集めて、少なくとも一つのスライスを構成するスライス構成手段と、前記入力した画像データを符号化する際に生成する局部復号画像における前記ブロックの境界に対して平滑化処理を行うフィルタ手段と、前記スライス構成手段で構成されたスライスに対応するブロックについては、その他のブロックよりも強く平滑化処理を行うよう、前記フィルタ手段における平滑化処理の強度を制御する制御手段とを備えることを特徴とする。
【手続補正４】
【補正対象書類名】明細書
【補正対象項目名】００２３
【補正方法】変更
【補正の内容】
【００２３】
また、本発明の画像符号化方法は、局部復号画像を用いた予測符号化を行う画像符号化方法であって、入力した画像データを複数画素で構成されるブロックに分割した際のブロックごとの画像パターンを判定する判定ステップと、前記入力した画像データを符号化する際に生成する局部復号画像における前記ブロックの境界に対して平滑化処理を行うフィルタ処理ステップと、前記判定ステップにおいて判定されたブロックごとの画像パターンに基づいて分けられる領域ごとに前記フィルタ処理ステップにおける平滑化処理の強度を設定する設定ステップとを有することを特徴とする。
【手続補正５】
【補正対象書類名】明細書
【補正対象項目名】００２４
【補正方法】変更
【補正の内容】
【００２４】
また、本発明の他の画像符号化方法は、局部復号画像を用いた予測符号化を行う画像符号化方法であって、入力した画像データを複数画素で構成されるブロックに分割した際のブロックごとに、少なくとも画像の平坦さを基準にブロックの特徴判定を行う判定ステップと、前記判定ステップにおいて平坦と判定された少なくとも一つ以上のブロックを集めて、少なくとも一つのスライスを構成するスライス構成ステップと、前記入力した画像データを符号化する際に生成する局部復号画像における前記ブロックの境界に対して平滑化処理を行うフィルタ処理ステップと、前記スライス構成ステップにおいて構成されたスライスに対応するブロックについては、その他のブロックよりも強く平滑化処理を行うよう、前記フィルタ処理ステップにおける平滑化処理の強度を設定する設定ステップとを有することを特徴とする。